(57)【特許請求の範囲】
【請求項１】
液晶パネルと、
ドライバが実装され前記液晶パネルと接続されている回路フィルムと、
前記回路フィルムに形成される複数個の第１パッドと、
前記液晶パネルに形成され、前記第１パッドと接続されている複数個の第２パッドを備える液晶表示装置であって、
前記第１パッドのそれぞれは、ボンディングされる面積が大きい少なくとも２個の第１ボンディング領域及びボンディングされる面積が小さい少なくとも２個の第２ボンディング領域を含む形状を有し、
前記各第１パッドでは、前記少なくとも２個の第１ボンディング領域及び少なくとも２個の第２ボンディング領域が交互に一列に配置されて配列され、
前記各第１パッドの第１ボンディング領域と隣接する第１パッドの第２ボンディング領域とが隣り合うように、前記各第１パッドは、隣接する第１パッドと反対に配置され、
前記第１ボンディング領域は、四角形、八角形、三角形、菱形または円形のように様々な形状を有し、
前記各第２パッドは、前記各第１パッドと同一形状を有することを特徴とする液晶表示装置。
【請求項２】
前記回路フィルムに、ＴＣＰまたはＣＯＦまたはＦＰＣを使用することを特徴とする請求項１に記載の液晶表示装置。
【発明の詳細な説明】
【技術分野】
【０００１】
本発明は、液晶表示装置に係り、特に、生産費節減のためにデータ駆動部のデータＴＣＰ及びパッドのサイズを縮める必要がある場合に、ファインピッチ（Fine Pitch）用パッドを設計するのに好適な液晶表示装置に関する。
【背景技術】
【０００２】
情報化社会の発展に伴い、表示装置への要求も多様な形態に漸増しており、これに応えて近来は、液晶表示装置（ＬＣＤ)、プラズマディスプレイ（ＰＤＰ)、電界発光ディスプレイ（ＥＬＤ)、蛍光表示管（ＶＦＤ)など種々の平板表示装置が研究されてきており、そのうち一部の平板表示装置は既にさまざまな装置に適用され活用されている。
【０００３】
なかでも、ＬＣＤは、高画質、軽量、薄型、低消費電力の特長から、ＣＲＴ(Cathode Ray Tube)に代えて移動型画像表示装置として最も多用されており、さらには、ノートブックコンピュータのモニターのような移動型の用途だけでなく、放送信号を受信してディスプレイするテレビ及びコンピュータのモニターなどとしてさまざまに開発されてきている。
【０００４】
以下、添付の図面を参照して従来技術による液晶表示装置について説明する。
【０００５】
図１は、従来技術による液晶表示装置のレイアウト図であり、図２は、従来のデータ駆動部のパッドのピッチを示す図である。
【０００６】
従来技術による液晶表示装置は、図１及び図２に示すように、上、下部基板１０，１１、及びこれらの間に充填された液晶層（図示せず）から構成された液晶パネル２０と、ゲートＴＣＰによって下部基板１１に接続されている複数個のゲートドライバで構成されたゲート駆動部１２と、データＴＣＰ１３によってソース印刷回路基板１４と前記下部基板１１にそれぞれ接続されている複数個のドライバで構成されたデータ駆動部１５と、上、下部基板１０，１１間の縁部に形成されて、上、下部基板１０，１１を合着するシールライン１６と、から構成されている。
【０００７】
ここで、ゲート駆動部１２とデータ駆動部１５はＦＰＣまたはＣＯＦを使用することができる。
【０００８】
ゲート駆動部１２とデータ駆動部１５に制御信号及び画像情報を出力するタイミング制御部（図示せず）がさらに備えられている。
【０００９】
液晶パネル２０の内部には、画像が表示される画素部２１が定義されており、下部基板１１には、互いに直交してマトリクス形態の画素領域を定義する複数本のゲートライン及びデータラインと、各ゲートラインとデータラインとによって定義された各画素領域に形成される複数個の画素電極と、各ゲートラインとデータラインとが交差する部分に形成され、ゲートラインの信号によってデータラインの信号を各画素電極に印加する複数個の薄膜トランジスタ（ＴＦＴ）と、を備える。
【００１０】
ここで、薄膜トランジスタは、ゲートラインの一側から突出したゲート電極と、ゲート電極を含む全面に形成されたゲート絶縁膜と、ゲート電極を含む上部にオーバーラップされている活性層と、データラインの一側でオーバーラップされゲート電極の一側にオーバーラップされているソース電極と、このソース電極と隔たっているドレイン電極と、で構成される。
【００１１】
そして、データラインを含む上部に、ドレイン電極に第１コンタクトホールを有するように保護膜が形成されており、第１コンタクトホールを介してドレイン電極と画素電極とがコンタクトしている。
【００１２】
そして、上部基板１０には、図示してはいないが、ブラックマトリクスによって画素領域別に分離して塗布されたカラーフィルタ層と、画素電極の相対電極である共通電極が備えられている。
【００１３】
上記の構成を有する液晶表示装置において、液晶は、上、下部基板１０，１１間に構成された共通電極と画素電極に電圧が印加されることによって駆動する。
【００１４】
また、データ駆動部１５のデータＴＣＰ１３には、データ信号を液晶パネル２０のデータラインに伝達するためのデータパッド部１９が備えられている。
【００１５】
ここで、図２に示したように、データパッド部１９の任意の部分'Ａ'を拡大して示してみると、データパッド部１９は、それぞれのデータＴＣＰ１３上に同じピッチｄを有するように形成されている。すなわち、データパッド部１９には、複数個のデータパッド２３が同じ幅と間隔で形成されている。
【００１６】
未説明符号‘１８’は、データチップを表す。
【発明の開示】
【発明が解決しようとする課題】
【００１７】
しかしながら、上記のようにデータパッド部１９が同じピッチで構成されていると、データ駆動部１５の各データＴＣＰ１３を下部基板１１のパッドにボンディングする場合にデータパッド部１９の部分膨脹率に違いが発生するため、下部基板１１とのボンディング時にミスアライメントする恐れがある。
【００１８】
また、以降のモデルでは、生産費節減のためにデータ駆動部１５の各データＴＣＰ１３のサイズを縮め、これに応じてデータパッド部１９の各パッドを縮める工夫がなされた。
【００１９】
しかしながら、このようにデータパッドの幅及び間隔を縮めると、データパッドを液晶パネルにボンディングする際にミスアライメントが発生する場合、ショートする恐れがある。
【００２０】
したがって、現在の工程能力では、ミスアライメントに伴う歩留まりの問題から、データパッドの幅及び間隔を無制限に縮めることは不可能な実情にある。
【００２１】
本発明は、上記の問題を解決するためのもので、その目的は、生産費節減のためにデータ駆動部のデータＴＣＰ及びパッドのサイズを縮める必要がある場合、ファインピッチ用パッドを設計するのに好適な液晶表示装置を提供することにある。
【課題を解決するための手段】
【００２２】
上記目的を達成するための本発明に係る液晶表示装置は、上、下部基板とこれらの間に充填された液晶層とで構成された液晶パネルと、前記下部基板に接続されている複数個のゲートドライバで構成されたゲート駆動部と、データＴＣＰによってソース印刷回路基板と前記下部基板にそれぞれ接続されている複数個のデータドライバで構成されたデータ駆動部と、前記データ駆動部のデータ信号を前記液晶パネルのデータラインに伝達するために、前記データＴＣＰ上に、間隔が一定で、ボンディングされる面積が各部分別に異なるように設計された複数個のデータパッドと、から構成されることを特徴とする。
【００２３】
前記データパッドは、幅の広い部分と幅の狭い部分から形成され、この幅の広い部分と幅の狭い部分が交互に配列されることを特徴とする。
【００２４】
前記データパッドの幅の広い部分は、四角形、八角形、三角形、菱形または円形のように様々な形状を有することを特徴とする。
【００２５】
隣接する前記データパッドは、幅の広い部分と幅の狭い部分が隣り合うように配置されることを特徴とする。
【００２６】
前記データパッドは、幅の広い部分を少なくとも２箇所にすることを特徴とする。
【００２７】
上記目的を達成するための本発明に係る液晶表示装置は、液晶パネルと、ドライバか実装され前記液晶パネルと接続されている回路フィルムと、前記回路フィルムに形成される複数個の第１パッドと、前記液晶パネルに形成され前記第１パッドと接続されている複数個の第２パッドを備えて、前記第１パッドと第２パッドそれぞれは面積が各々異なる第１領域及び第２領域を含む形状を有したことを特徴とする。
【発明の効果】
【００２８】
本発明に係る液晶表示装置は、次のような効果がある。
【００２９】
第一に、データパッドを幅の広い部分と幅の狭い部分とで構成するため、データパッド部のデータパッドの間隔を一定に維持しながらもデータパッド部の全体面積を縮めることができる。すなわち、ファインピッチ用パッド形成が容易になる。
【００３０】
第二に、データＴＣＰのサイズを縮めてもデータパッド部の間隔を一定に維持させることができるため、ファインピッチにおけるミスアライメント現象の発生を防止し、品質を改善させることが可能になる。
【００３１】
第三に、データＴＣＰのサイズを縮め、生産費を節減させることが可能になる。
【発明を実施するための最良の形態】
【００３２】
添付の図面を参照して、本発明に係る液晶表示装置の好適な実施例について詳細に説明する。
【００３３】
第１実施例
図３は、本発明の第１実施例による液晶表示装置のレイアウト図であり、図４は、本発明の第１実施例によるデータ駆動部のデータパッドの様々な形状を示す図である。
【００３４】
本発明の第１実施例による液晶表示装置は、図３及び図４に示すように、上、下部基板３０，３１、及びこれらの間に充填された液晶層（図示せず）で構成された液晶パネル４０と、ゲートＴＣＰによって下部基板３１に接続されている複数個のゲートドライバで構成されたゲート駆動部３２と、データＴＣＰ３３によってソース印刷回路基板３４と前記下部基板３１にそれぞれ接続されている複数個のドライバ３８で構成されたデータ駆動部３５と、上、下部基板３０，３１間の縁部に形成されて、上、下部基板３０，３１を合着するシールライン３６と、で構成されている。
【００３５】
ここで、ゲート駆動部３２とデータ駆動部３５はＦＰＣまたはＣＯＦを使用することができる。
【００３６】
ゲート駆動部３２とデータ駆動部３５に制御信号及び画像情報を出力するタイミング制御部（図示せず）がさらに備えられている。
【００３７】
また、液晶パネル４０の内部には、画像が表示される画素部４１が定義されており、下部基板３１には、互いに直交してマトリクス形態の画素領域を定義する複数本のゲートライン及びデータラインと、各ゲートラインとデータラインとによって定義された各画素領域に形成された複数個の画素電極と、各ゲートラインとデータラインが交差する部分に形成され、ゲートラインの信号によってデータラインの信号を各画素電極に印加する複数個の薄膜トランジスタ（ＴＦＴ）と、を備える。
【００３８】
また、薄膜トランジスタは、ゲートラインの一方側から突出したゲート電極と、ゲート電極を含む全面に形成されたゲート絶縁膜と、ゲート電極を含む上部にオーバーラップされている活性層と、データラインの一方側でオーバーラップされゲート電極の一方側にオーバーラップされているソース電極と、ソース電極と隔たっているドレイン電極と、で構成される。
【００３９】
そして、データラインを含む上部に、ドレイン電極に第１コンタクトホールを有するように保護膜が形成されており、第１コンタクトホールを介してドレイン電極と画素電極とがコンタクトしている。
【００４０】
また、上部基板３０には、図示してはいないが、ブラックマトリクスによって画素領域別に分離して塗布されたカラーフィルタ層と、画素電極の相対電極である共通電極とが備えられている。
【００４１】
上記の構成を有する液晶表示装置において、液晶は、上、下部基板３０，３１間に構成された共通電極と画素電極に電圧が印加されることによって駆動する。
【００４２】
また、データ駆動部３５には、データ信号を液晶パネル４０のデータラインに伝達するためのデータパッド部３９が備えられている。
【００４３】
上記のように構成された液晶表示装置において、データ駆動部３５のデータＴＣＰ３３の大きさを小さく設計して生産費を節減しようとする場合、データパッド部３９のデータパッド４２は、図４に示すように、それぞれのデータＴＣＰ３３上に間隔を一定に維持しながら、１つのデータパッド４２のボンディングされる面積が異なるように構成する。
【００４４】
より詳細に説明すると、データパッド部３９には、幅の広い部分と狭い部分からなるデータパッド４２が複数個配列されているが、これらデータパッド４２は、幅の広い部分と狭い部分が交互に位置するように配列され、また、隣接するデータパッド４２間の間隔が同一に構成されている。
【００４５】
このようにデータパッド４２の間隔を一定に維持する理由は、データパッド４２の形成のための工程やボンディング時にミスアライメントに起因するショート現象を防止するためである。
【００４６】
ここで、データパッド４２の幅の広い部分は、図４に示すように、直方形の形状になっている。
【００４７】
また、隣接するデータパッド４２は、幅の広い部分が互いにずれて配置されるように、すなわち、幅の広い部分と幅の狭い部分が隣り合うように構成されている。そして、幅の広い部分の面積は、従来の一定幅を有するパッド間の幅程度を有するように形成されている。
【００４８】
このような構造にデータパッド４２を構成すると、データパッド４２間の間隔を一定に維持しながらも全体データパッド部３９の面積を減少させることが可能になる。
【００４９】
尚、図示してはいないが、データパッド４２の幅の広い部分は、直方形に限定されず、三角形、八角形、菱形及び円形など様々な形状にすることができる。
【００５０】
第２実施例
図５は、本発明の第２実施例による液晶表示装置のレイアウト図であり、図６及び図７は、本発明の第２実施例によるデータ駆動部のデータパッドの形状を示す図である。
【００５１】
本発明の第２実施例による液晶表示装置は、図５乃至図７に示すように、データ駆動部３５のデータパッド部３９の構成を除けば、本発明の第１実施例による液晶表示装置と同一の構成を有するのて、以下では、データ駆動部３５のデータパッド部３９についてのみ説明する。
【００５２】
まず、図６及び図７に示すように、データパッド部３９において、複数のデータパッド４２は、それぞれのデータＴＣＰ３３上に間隔を一定に維持しながら配列されている。各データパッド４２は、１つのデータパッド４２のボンディングされる面積が異なるように構成されており、面積の広い部分と面積の小さい部分とからなり、面積の広い部分を少なくとも２箇所有した形状である。
【００５３】
より詳細に説明すると、データパッド部３９には、幅の広い部分と幅の狭い部分からなるデータパッド４２が複数個配列されているが、これらデータパッド４２は、幅の広い部分と幅の狭い部分が交互に配置されており、また、隣接するデータパッド間の間隔が同一に構成されている。
【００５４】
ここで、データパッド４２の幅の広い部分は、図６及び図７に示すように、八角形の形状にすることができ、特に、正八角形は、ボンディング領域を最大限に確保できる構造であるため最も好ましい。また、図７に示したように、図６に示したデータパッド４２の形状より縦長い八角形の形状にしても良い。そして、データパッド４２の幅の広い部分、すなわち、ボンディング面積の広い部分は、少なくとも２箇所に分散構成し、ボンディング力を一層強化させることができる。
【００５５】
図示してはいないが、データパッド４２の幅の広い部分は、八角形に限定されず、三角形、直方形、菱形及び円形など様々な形状にすることができる。
【００５６】
また、隣接するデータパッド４２は、幅の広い部分が互いにずれて配置されるように、すなわち、幅の広い部分と幅の狭い部分が隣り合うように構成されている。そして、幅の広い部分の面積は、従来の一定幅を有するパッド間の幅程度を有するように形成されている。
【００５７】
上記のようにデータパッド４２を構成すると、データパッド４２間の間隔を一定に維持しながらもデータパッド部３９全体の面積を減少させることができ、ミスアライメントによる不良が最小限に抑えられる。
【００５８】
また、上記データＴＣＰ１３が接続されている下部基板３１のデータパッド部(図示せず）は上記データパッド部３９と同一の構成と形状を有する。また、上記ゲートＴＣＰと、上記下部基板３１のゲートパッド部(図示せず）は上記データパッド部３９と同一の構成と形状を有することができる。
【００５９】
以上説明した内容から、当業者なら本発明の技術思想を逸脱しない範囲で種々の変更及び修正が可能であることが理解できる。したがって、本発明の技術範囲は、上記の実施例に記載された内容に限定されず、特許請求の範囲によって定められるべきである。
【図面の簡単な説明】
【００６０】
【図１】従来技術による液晶表示装置のレイアウト図である。
【図２】従来のデータ駆動部のパッドのピッチ（pitch）を示す図である。
【図３】本発明の実施例による液晶表示装置のレイアウト図である。
【図４】本発明の第１実施例によるデータ駆動部のデータパッドの多様な形状を示す図である。
【図５】本発明の第２実施例による液晶表示装置のレイアウト図である。
【図６】本発明の第２実施例によるデータ駆動部のデータパッドの形状を示す図である。
【図７】本発明の第２実施例によるデータ駆動部のデータパッドの他の形状を示す図である。
【符号の説明】
【００６１】
３０，３１    上、下部基板
３３    データＴＣＰ
３４    ソース印刷回路基板
３５，４５    データ駆動部
３６    シールライン
３８    データチップ
３９    データパッド部
４０    液晶パネル
４１    画素部
４２    データパッド
【図１】
0004554584.tif 000002
【図２】
0004554584.tif 000003
【図３】
0004554584.tif 000004
【図４】
0004554584.tif 000005
【図５】
0004554584.tif 000006
【図６】
0004554584.tif 000007
【図７】
0004554584.tif 000008